(57)【要約】【課題】  電波の輻輳状態や無線ＬＡＮアクセスポイントに接続済み台数などを確認して、安定した無線接続で、通信速度の速い無線ＬＡＮアクセスポイントを特定して接続可能にする。【解決手段】  複数の無線ＬＡＮアクセスポイントと複数の無線ＬＡＮクライアントとで構成される無線ＬＡＮ通信システムにおいて、複数の無線ＬＡＮアクセスポイントと複数の無線ＬＡＮクライアントは、それぞれ、複数の無線ＬＡＮアクセスポイントと複数の無線ＬＡＮクライアントの接続情報を管理する情報管理部を有し、複数の無線ＬＡＮアクセスポイントは、複数の無線ＬＡＮアクセスポイントを互いに有線ＬＡＮに接続する有線ＬＡＮインターフェイスを有している。【選択図】      図１
2015226178.tif 000002
【特許請求の範囲】
【請求項１】
複数の無線ＬＡＮアクセスポイントと複数の無線ＬＡＮクライアントとで構成される無線ＬＡＮ通信システムにおいて、
前記複数の無線ＬＡＮアクセスポイントと前記複数の無線ＬＡＮクライアントは、
それぞれ、前記複数の無線ＬＡＮアクセスポイントと前記複数の無線ＬＡＮクライアントの接続情報を管理する情報管理部を有し、
前記複数の無線ＬＡＮアクセスポイントは、
前記複数の無線ＬＡＮアクセスポイントを互いに有線ＬＡＮに接続する有線ＬＡＮインターフェイスを有することを特徴とする無線ＬＡＮ通信システム。
【請求項２】
前記複数の無線ＬＡＮアクセスポイントと前記複数の無線ＬＡＮクライアントとは、各々に無線ＬＡＮの通信規格とは別の通信規格の近距離通信インターフェイスを有することを特徴とする請求項１に記載の無線ＬＡＮ通信システム。
【請求項３】
前記情報管理部は、前記接続情報を、前記近距離通信インターフェイスを用いて、前記無線ＬＡＮアクセスポイントと前記無線ＬＡＮクライアントの間で通信することを特徴とする請求項１または２に記載の無線ＬＡＮ通信システム。
【請求項４】
前記有線ＬＡＮインターフェイスを用いて、前記複数の無線ＬＡＮアクセスポイント間で互いの前記接続情報を送受信することを特徴とする請求項１から３のいずれか１項に記載の無線ＬＡＮ通信システム。
【請求項５】
前記無線ＬＡＮクライアントが前記近距離通信インターフェイスで接続した無線ＬＡＮアクセスポイントは、前記近距離通信インターフェイスを用いた接続の前に接続を推奨する無線ＬＡＮアクセスポイントの接続情報を保有していることを特徴とする請求項１から４のいずれか１項に記載の無線ＬＡＮ通信システム。
【請求項６】
前記情報管理部は、
前記無線ＬＡＮクライアントからのアクセスを契機として接続推奨無線ＬＡＮアクセスポイントの接続情報を収集することを特徴とする請求項１から５のいずれか１項に記載の無線ＬＡＮ通信システム。
【請求項７】
前記情報管理部は、
以前に検索した接続が混み合っていない無線ＬＡＮアクセスポイントと現時点で検索した接続が混み合っていない無線ＬＡＮアクセスポイントとを比較し異なっていた場合、前記現時点で検索した接続が混み合っていない無線ＬＡＮアクセスポイントに接続を変更するよう要求することを特徴とする請求項１から６のいずれか１項に記載の無線ＬＡＮ通信システム。
【請求項８】
前記近距離通信インターフェイスは、無線または光を用いて通信することを特徴とする請求項１から７のいずれか１項に記載の無線ＬＡＮ通信システム。
【請求項９】
複数の無線ＬＡＮアクセスポイントと複数の無線ＬＡＮクライアントの接続情報を管理する情報管理部と、
前記複数の無線ＬＡＮアクセスポイントを互いに有線ＬＡＮに接続する有線ＬＡＮインターフェイスと、
無線ＬＡＮの通信規格とは別の通信規格の近距離通信インターフェイスと、
を有することを特徴とする無線ＬＡＮアクセスポイント。
【請求項１０】
複数の無線ＬＡＮアクセスポイントと複数の無線ＬＡＮクライアントとで構成される無線ＬＡＮ通信システムの無線ＬＡＮ通信方法において、
前記複数の無線ＬＡＮアクセスポイントと前記複数の無線ＬＡＮクライアントは、
前記複数の無線ＬＡＮアクセスポイントと前記複数の無線ＬＡＮクライアントの接続情報を管理するステップと、
無線ＬＡＮの通信規格とは別の通信規格の近距離通信するステップと、
を有し、
前記複数の無線ＬＡＮアクセスポイントは、
前記複数の無線ＬＡＮアクセスポイントを互いに有線ＬＡＮに接続するステップを有することを特徴とする無線ＬＡＮ通信方法。
【発明の詳細な説明】
【技術分野】
【０００１】
本発明は、無線ＬＡＮ（Ｌｏｃａｌ  Ａｒｅａ  Ｎｅｔｗｏｒｋ）通信システムに関し、特に無線ＬＡＮクライアントの自動接続可能な通信システムに関する。
【背景技術】
【０００２】
近年、無線ＬＡＮクライアントが、無線ＬＡＮアクセスポイントと自動的に接続できる技術が開発されている。しかしながら、複数の無線ＬＡＮアクセスポイントが存在する環境では、ユーザは、電波の輻輳状態や無線ＬＡＮアクセスポイントに接続済み台数などを確認できないため、無線接続後の動作が不安定であったり、あるいは無線接続後の通信速度が遅かったりする場合がある。
【０００３】
また、複数の無線ＬＡＮアクセスポイントが存在し、かつ、多くの無線ＬＡＮクライアントが接続する環境では、特定の無線ＬＡＮアクセスポイントに接続が集中したり、接続する日時によって接続が集中する無線ＬＡＮアクセスポイントが変わる場合があり、実際に接続して通信する際、無線接続後の動作が不安定であったり、無線接続後の通信速度が遅い場合がある。そして、その場合に、安定した無線接続で、通信速度の速い無線ＬＡＮアクセスポイントを特定することは容易ではなかった。
【０００４】
上記に関連する技術として、特許文献１には、無線クライアントと、無線通信システムの構成要素である無線アクセスポイントを含む無線アクセスポイントとの間の電波到達性を無線アクセスポイント毎に判定し、さらに、無線アクセスポイントの無線資源使用状態を無線アクセスポイント毎に算定し、電波到達性の判定結果および無線資源使用状態の算定結果を含む情報にもとづき、通信セッションの発信・着信を制御する技術が開示されている。
【先行技術文献】
【特許文献】
【０００５】
【特許文献１】国際公開第２００７／０７４６７９号
【発明の概要】
【発明が解決しようとする課題】
【０００６】
特許文献１に記載の技術では、無線アクセスポイントと無線クライアントとの各々の電波到達性や無線資源使用状況を判定して発信・着信を制御できる。しかし、複数の無線アクセスポイントが存在する環境では、ユーザは、どのアクセスポイントが通信速度が速いのか確認できない、という課題があった。
【０００７】
本発明の目的は、上述した課題を解決し、安定した無線接続で、通信速度の速い無線ＬＡＮアクセスポイントを特定して接続することにある。
【課題を解決するための手段】
【０００８】
本発明は、上記課題を解決するために、複数の無線ＬＡＮアクセスポイントと複数の無線ＬＡＮクライアントとで構成される無線ＬＡＮ通信システムにおいて、複数の無線ＬＡＮアクセスポイントと複数の無線ＬＡＮクライアントは、それぞれ、複数の無線ＬＡＮアクセスポイントと複数の無線ＬＡＮクライアントの接続情報を管理する情報管理部を有し、複数の無線ＬＡＮアクセスポイントは、複数の無線ＬＡＮアクセスポイントを互いに有線ＬＡＮに接続する有線ＬＡＮインターフェイスを有することを特徴としている。
【０００９】
また、本発明は、上記課題を解決するために、複数の無線ＬＡＮアクセスポイントと複数の無線ＬＡＮクライアントの接続情報を管理する情報管理部と、複数の無線ＬＡＮアクセスポイントを互いに有線ＬＡＮに接続する有線ＬＡＮインターフェイスと、無線ＬＡＮの通信規格とは別の通信規格の近距離通信インターフェイスとを有することを特徴としている。
【００１０】
また、本発明は、上記課題を解決するために、複数の無線ＬＡＮアクセスポイントと複数の無線ＬＡＮクライアントとで構成される無線ＬＡＮ通信システムの無線ＬＡＮ通信方法において、複数の無線ＬＡＮアクセスポイントと複数の無線ＬＡＮクライアントは、複数の無線ＬＡＮアクセスポイントと複数の無線ＬＡＮクライアントの接続情報を管理するステップと、無線ＬＡＮの通信規格とは別の通信規格の近距離通信するステップとを有し、複数の無線ＬＡＮアクセスポイントは、複数の無線ＬＡＮアクセスポイントを互いに有線ＬＡＮに接続するステップを有することを特徴としている。
【発明の効果】
【００１１】
本発明によれば、通信速度の速い無線ＬＡＮアクセスポイントを特定して接続できるという効果がある。
【図面の簡単な説明】
【００１２】
【図１】本発明の第１の実施形態における無線ＬＡＮ通信システムの構成を示すブロック図である。
【図２】本発明の第１の実施形態における無線ＬＡＮ通信システムの詳細な構成を示すブロック図である。
【図３Ａ】本発明の第１の実施形態における無線ＬＡＮ通信システムの各装置のシーケンスを示す図であり、無線ＬＡＮアクセスポイント２００のシーケンスである。
【図３Ｂ】本発明の第１の実施形態における無線ＬＡＮ通信システムの各装置のシーケンスを示す図であり、無線ＬＡＮアクセスポイント２１０のシーケンスである。
【図４Ａ】本発明の第１の実施形態における無線ＬＡＮ通信システムの各装置のシーケンスを示す図であり、無線ＬＡＮアクセスポイント２００のシーケンスである。
【図４Ｂ】本発明の第１の実施形態における無線ＬＡＮ通信システムの各装置のシーケンスを示す図であり、無線ＬＡＮアクセスポイント２１０のシーケンスである。
【図５Ａ】本発明の第１の実施形態における無線ＬＡＮ通信システムの各装置のシーケンスを示す図であり、図５Ａは、無線ＬＡＮアクセスポイント２００と無線ＬＡＮクライアント２３０間のシーケンスである。
【図５Ｂ】本発明の第１の実施形態における無線ＬＡＮ通信システムの各装置のシーケンスを示す図であり、無線ＬＡＮアクセスポイント２１０と無線ＬＡＮクライアント２３０間のシーケンスである。
【図６】本発明の第２の実施形態における無線ＬＡＮ通信システムの各装置のシーケンスを示す図である。
【発明を実施するための形態】
【００１３】
以下、本発明の実施形態について図面を参照して詳細に説明する。
【００１４】
（第１の実施の形態）
図１を用いて、本発明の第１の実施形態である無線ＬＡＮ通信システムの構成を説明する。図１は、本発明の第１の実施形態である無線ＬＡＮ通信システムの構成を示すブロック図である。
【００１５】
無線ＬＡＮアクセスポイント１００、１１０は、無線ＬＡＮアクセスポイントの構成である有線ＬＡＮインターフェイス１０１、１１１と無線ＬＡＮインターフェイス１０４、１１４に加えて、情報管理部として情報管理アプリケーション１０３、１１３と、近距離通信インターフェイス１０２、１１２とを有している。
【００１６】
情報管理アプリケーション１０３、１１３は、無線ＬＡＮインターフェイス１０４、１１４から使用無線チャンネル／ＳＳＩＤ（Ｓｅｒｖｉｃｅ  Ｓｅｔ  Ｉｄｅｎｔｉｆｉｅｒ）や認証方式などの接続情報／無線ＬＡＮアクセスポイントの推奨接続台数、および、自身に接続されている無線ＬＡＮクライアントの接続台数を取得する。また、有線ＬＡＮインターフェイス１０１、１１１を経由して自身以外の無線ＬＡＮアクセスポイントの使用無線チャンネル／ＳＳＩＤや認証方式などの接続情報／無線ＬＡＮアクセスポイントの推奨接続台数、および、無線ＬＡＮクライアントの接続台数を取得する。
【００１７】
情報管理アプリケーション１０３、１１３は、これらの取得した情報をもとに接続の混み具合が最少の無線ＬＡＮアクセスポイントの接続情報を選択する。選択した接続情報は、近距離通信インターフェイス１０２、１１２を経由して、無線ＬＡＮクライアントに送信される。
【００１８】
また、無線ＬＡＮクライアント１３０は、無線ＬＡＮクライアントの構成にある無線ＬＡＮインターフェイス１３３に加えて、情報管理アプリケーション１３２と近距離通信インターフェイス１３１を有する。情報管理アプリケーション１３２は、近距離通信インターフェイス１３１を経由して接続の混み具合が最少の無線ＬＡＮアクセスポイントの接続情報を取得する。情報管理アプリケーション１３２は、この取得した無線ＬＡＮアクセスポイントの接続情報を無線ＬＡＮインターフェイス１３３へ設定する。
【００１９】
接続の混み具合が最少の無線ＬＡＮアクセスポイントは、現在近距離通信インターフェイス１３１で接続している無線ＬＡＮアクセスポイント自身である場合もあれば、別の無線ＬＡＮアクセスポイントである場合もある。
【００２０】
無線ＬＡＮアクセスポイント１００は、有線ＬＡＮインターフェイス１０１と近距離通信インターフェイス１０２と無線ＬＡＮインターフェイス１０４と情報管理アプリケーション１０３を有している。有線ＬＡＮインターフェイス１０１、近距離通信インターフェイス１０２、無線ＬＡＮインターフェイス１０４は、それぞれの一般的な通信機能を有している。情報管理アプリケーション１０３は、無線ＬＡＮアクセスポイント１００自身の使用無線チャンネル／ＳＳＩＤや認証方式などの接続情報／無線ＬＡＮアクセスポイント１００の推奨接続台数を保持する機能を有している。
【００２１】
また、無線ＬＡＮインターフェイス１０４に接続中の無線ＬＡＮクライアントの台数（図１の場合は無線ＬＡＮクライアント１２０、１２１の２台）を取得及び保持する機能や、有線ＬＡＮインターフェイスを経由して他の無線ＬＡＮアクセスポイント１１０の使用無線チャンネル／ＳＳＩＤや認証方式などの接続情報／無線ＬＡＮアクセスポイント１１０の推奨接続台数を取得及び保持する機能を有している。さらに、取得済みの情報から、無線の輻輳が発生しておらず、かつ、接続の混み具合が最少の無線ＬＡＮアクセスポイントの接続情報を選択し保持する。選択した接続情報は、近距離通信インターフェイス１０２を経由して送信する。
【００２２】
無線ＬＡＮアクセスポイント１１０は、無線ＬＡＮアクセスポイント１００と同様に、有線ＬＡＮインターフェイス１１１と近距離通信インターフェイス１１２と無線ＬＡＮインターフェイス１１４と情報管理アプリケーション１１３を有している。有線ＬＡＮインターフェイス１１１、近距離通信インターフェイス１１２、無線ＬＡＮインターフェイス１１４は、それぞれの一般的な通信機能を有している。情報管理アプリケーション１１３は、無線ＬＡＮアクセスポイント１１０自身の使用無線チャンネル／ＳＳＩＤや認証方式などの接続情報／無線ＬＡＮアクセスポイント１００の推奨接続台数を保持する機能を有している。
【００２３】
また、無線ＬＡＮインターフェイス１１４に接続中の無線ＬＡＮクライアント１２２の台数を取得及び保持する機能を有している。さらに、有線ＬＡＮインターフェイスを経由して他の無線ＬＡＮアクセスポイント１００の使用無線チャンネル／ＳＳＩＤや認証方式などの接続情報／無線ＬＡＮアクセスポイント１００の推奨接続台数を取得及び保持する機能を有している。さらに、取得済みの情報から、無線の輻輳が発生しておらず、かつ、接続の混み具合が最少の無線ＬＡＮアクセスポイントの接続情報を選択し保持する。選択した接続情報は、近距離通信インターフェイス１１２を経由して、対象となる無線ＬＡＮクライアントへ送信する。
【００２４】
無線ＬＡＮクライアント１３０は、近距離通信インターフェイス１３１と情報管理アプリケーション１３２と無線ＬＡＮインターフェイス１３３を有している。近距離通信インターフェイス１３１、無線ＬＡＮインターフェイス１３３は、それぞれ一般的な通信機能を有している。情報管理アプリケーション１３２は、近距離通信インターフェイス１３１を経由して無線ＬＡＮアクセスポイント１００、無線ＬＡＮアクセスポイント１１０のいずれかと通信し、最適な接続先の情報を取得及び保持する。取得した接続先の情報を無線ＬＡＮインターフェイス１３３に設定することで、無線ＬＡＮ接続が完了する。
【００２５】
このようにして、本発明では、無線未接続の無線ＬＡＮクライアント１３０は、無線の輻輳が少なく、かつ、接続の混み具合が最少の無線ＬＡＮアクセスポイントと接続が可能となる。
【００２６】
図２を用いて、本発明の第１の実施形態である無線ＬＡＮ通信システムのより具体的な構成を説明する。図２は、本発明の第１の実施形態である無線ＬＡＮ通信システムの詳細な構成を示すブロック図である。図２において、近距離通信（ＮＦＣ：Ｎｅａｒ  Ｆｉｅｌｄ  Ｃｏｍｍｕｎｉｃａｔｉｏｎ）として、Ｂｌｕｅｔｏｏｔｈ（登録商標）や、ＺｉｇＢｅｅ（登録商標）を用いている。近距離通信は、Ｂｌｕｅｔｏｏｔｈ、ＺｉｇＢｅｅ等の電波を用いた方式でもよいし、ＩｒＤＡ（Ｉｎｆｒａｒｅｄ  Ｄａｔａ  Ａｓｓｏｃｉａｔｉｏｎ）等の光ワイヤレス通信技術を用いてもよい。
【００２７】
無線ＬＡＮアクセスポイント２００は、有線ＬＡＮインターフェイス２０１、Ｂｌｕｅｔｏｏｔｈインターフェイス２０２、無線ＬＡＮインターフェイス２０４、情報管理アプリケーション２０３を有している。有線ＬＡＮインターフェイス２０１、Ｂｌｕｅｔｏｏｔｈインターフェイス２０２、無線ＬＡＮインターフェイス２０４は、それぞれの一般的な通信機能を持ち、データ通信を行う。
【００２８】
情報管理アプリケーション２０３は、無線ＬＡＮアクセスポイント２００自身の使用無線チャンネル／ＳＳＩＤや認証方式などの接続情報／無線ＬＡＮアクセスポイント２００の推奨接続台数を保持し、かつ、無線ＬＡＮインターフェイス２０４と通信し接続中の無線ＬＡＮクライアントの台数（図２の場合は無線ＬＡＮクライアント２２０、２２１の２台）を取得、かつ、有線ＬＡＮインターフェイス２０１と通信し無線ＬＡＮアクセスポイント２１０に接続中の無線ＬＡＮクライアントの台数を取得する。さらに、取得済みの情報から、無線の輻輳が発生しておらず、かつ、接続の混み具合が最少の無線ＬＡＮアクセスポイントの接続情報を選択し保持する。選択した接続情報は、Ｂｌｕｅｔｏｏｔｈインターフェイス２０２を経由して、対象となる無線ＬＡＮクライアントへ送信する。
【００２９】
接続の混み具合が最少の無線ＬＡＮアクセスポイントは、Ｂｌｕｅｔｏｏｔｈインターフェイス２３１で現在接続している無線ＬＡＮアクセスポイント自身である場合もあれば、別の無線ＬＡＮアクセスポイントである場合もある。
【００３０】
無線ＬＡＮアクセスポイント２１０は、有線ＬＡＮインターフェイス２１１、Ｂｌｕｅｔｏｏｔｈインターフェイス２１２、無線ＬＡＮインターフェイス２１４、情報管理アプリケーション２１３を備えている。
【００３１】
有線ＬＡＮインターフェイス２１１、Ｂｌｕｅｔｏｏｔｈインターフェイス２１２、無線ＬＡＮインターフェイス２１４は、それぞれの一般的な通信機能を持ち、データ通信を行う。
【００３２】
情報管理アプリケーション２１３は、無線ＬＡＮアクセスポイント２１０自身の使用無線チャンネル／ＳＳＩＤや認証方式などの接続情報／無線ＬＡＮアクセスポイント２１０の推奨接続台数を保持している。また、無線ＬＡＮインターフェイス２１４と通信し、接続中の無線ＬＡＮクライアント２２２の接続台数を取得する。さらに、有線ＬＡＮインターフェイス２１１と通信して無線ＬＡＮアクセスポイント２００に接続中の無線ＬＡＮクライアントの接続台数を取得する。さらに、取得済みの情報から、無線の輻輳が発生しておらず、かつ、接続の混み具合が最少の無線ＬＡＮアクセスポイントの接続情報を選択し保持する。選択された接続情報は、Ｂｌｕｅｔｏｏｔｈインターフェイス２１２へ送られ、Ｂｌｕｅｔｏｏｔｈによって接続先へ送信される。
【００３３】
まだ、無線ＬＡＮ接続していない無線ＬＡＮクライアント２３０は、Ｂｌｕｅｔｏｏｔｈインターフェイス２３１、情報管理アプリケーション２３２、無線ＬＡＮインターフェイス２３３を備えている。
【００３４】
Ｂｌｕｅｔｏｏｔｈインターフェイス２３１、無線ＬＡＮインターフェイス２３３は、それぞれの一般的な通信機能を持ち、データ通信を行う。
【００３５】
情報管理アプリケーション２３２は、Ｂｌｕｅｔｏｏｔｈインターフェイス２３１と通信し、Ｂｌｕｅｔｏｏｔｈによって送信された無線ＬＡＮアクセスポイントの接続情報を取得する。取得した接続情報は、無線ＬＡＮインターフェイス２３３へ設定され、無線ＬＡＮアクセスポイントとの接続に利用される。
【００３６】
次に、図２、図３、図４、図５を参照して本発明の第１の実施形態の動作について詳細に説明する。
【００３７】
図３、図４、図５は、図２の本発明の第１の実施形態の構成の無線ＬＡＮ通信システムの各装置の動作を示すシーケンス図である。
【００３８】
図３Ａにおいて、無線ＬＡＮアクセスポイント２００が、自身の使用無線チャンネル／ＳＳＩＤ／認証方式／暗号モード／暗号鍵、推奨接続台数、接続中台数を取得し、他の無線ＬＡＮアクセスポイントへ情報送信する手順を示す。
【００３９】
まず、自身の使用無線チャンネル／ＳＳＩＤ／認証方式／暗号モード／暗号鍵などの無線設定の情報を取得する。このとき、情報管理アプリケーション２０３は、無線ＬＡＮインターフェイス２０４へ無線設定取得要求（Ａ１）する。無線ＬＡＮインターフェイス２０４は、無線設定取得（Ａ２）し、情報管理アプリケーション２０３へ無線設定取得応答（Ａ３）する。
【００４０】
次に、自身に接続されている無線ＬＡＮクライアントの接続台数を取得する。このとき、情報管理アプリケーション２０３は、無線ＬＡＮインターフェイス２０４へ接続台数取得要求（Ａ４）する。無線ＬＡＮインターフェイス２０４は、接続台数を取得（Ａ５）し、情報管理アプリケーション２０３へ接続台数取得応答（Ａ６）する。
【００４１】
最後に、情報管理アプリケーション２０３は、あらかじめ情報管理アプリケーションが保持している推奨接続台数、取得した無線設定、および、接続台数の情報を接続情報として統合（接続情報統合（Ａ７））し、有線ＬＡＮインターフェイス２０１へ接続情報送信（Ａ８）する。
【００４２】
有線ＬＡＮで接続している別の無線ＬＡＮアクセスポイント２１０の動作は、図３Ａの無線ＬＡＮアクセスポイント２００の（Ａ１）から（Ａ８）の動作と同じとなり、図３Ｂの（Ａ９）から（Ａ１６）で示す。
【００４３】
図４Ａにおいて、無線ＬＡＮアクセスポイント２００が、他の無線ＬＡＮアクセスポイントの使用無線チャンネル／ＳＳＩＤ／認証方式／暗号モード／暗号鍵、推奨接続台数、接続中台数を取得し、接続が混み合っていない無線ＬＡＮアクセスポイントを検索する手順を示す。
【００４４】
有線ＬＡＮインターフェイス２０１は、他の無線ＬＡＮアクセスポイントから受信した接続情報を、情報管理アプリケーション２０３へ接続情報送信（Ｂ１）する。
【００４５】
情報管理アプリケーション２０３は、取得した他の無線ＬＡＮアクセスポイントの接続情報と、自身の接続情報を比較し、電波の輻輳が少なく、接続が混み合っていない無線ＬＡＮアクセスポイントを検索するため、接続推奨ＡＰ（Ａｃｃｅｓｓ  Ｐｏｉｎｔ）検索（Ｂ２）する。接続推奨ＡＰ検索（Ｂ２）した情報は、無線ＬＡＮクライアントとの通信時に使用するため、接続推奨ＡＰ保存（Ｂ３）を行う。
【００４６】
本実施形態においては、サーバ等を用いることなく、無線ＬＡＮアクセスポイント同士で、自身以外のアクセスポイント情報を有線ＬＡＮを経由して入手する。また、接続推奨ＡＰ検索にて、推奨できるＡＰが複数存在する場合は、最も近いＡＰを選択する。
【００４７】
有線ＬＡＮで接続している別の無線ＬＡＮアクセスポイント２１０の動作は、図４Ａの無線ＬＡＮアクセスポイント２００の（Ｂ１）から（Ｂ３）の動作と同じとなり、図４Ｂの（Ｂ４）から（Ｂ６）で示す。
【００４８】
図５Ａにおいて、まだ無線ＬＡＮ接続していない無線ＬＡＮクライアント２３０が、無線ＬＡＮアクセスポイント２００から無線ＬＡＮの接続情報を取得し、無線ＬＡＮネットワーク接続を実行する手順を示す。
【００４９】
まず、電波の輻輳が少なく、接続が混み合っていない無線ＬＡＮアクセスポイントの接続情報を取得する。このとき、無線ＬＡＮクライアント２３０の接続管理アプリケーション２３２は、Ｂｌｕｅｔｏｏｔｈインターフェイス２３１へ接続推奨ＡＰ情報取得要求（Ｃ１）を行う。Ｂｌｕｅｔｏｏｔｈインターフェイス２３１は、無線ＬＡＮアクセスポイント２００にあるＢｌｕｅｔｏｏｔｈインターフェイス２０２へ接続推奨ＡＰ情報取得要求（Ｃ２）を行う。
【００５０】
無線ＬＡＮアクセスポイント２００のＢｌｕｅｔｏｏｔｈインターフェイス２０２は、無線ＬＡＮクライアント２３０にあるＢｌｕｅｔｏｏｔｈインターフェイス２３１から受信した接続推奨ＡＰ情報取得要求（Ｃ２）を受信する。Ｂｌｕｅｔｏｏｔｈインターフェイス２０２は、情報管理アプリケーション２０３へ接続推奨ＡＰ情報取得要求（Ｃ３）を行う。情報管理アプリケーション２０３は、図４のＢ３／Ｂ６で事前に保存している情報から接続推奨ＡＰ情報取得（Ｃ４）し、Ｂｌｕｅｔｏｏｔｈインターフェイス２０２へ接続推奨ＡＰ情報取得応答（Ｃ５）する。
【００５１】
本実施形態における接続推奨ＡＰの情報は、クライアントからのＡＰへのアクセスとは無関係に、定期的に更新されるが、アクセスを契機にしてＡＰが接続推奨ＡＰ情報取得（Ｃ４）を行う方式も可能である。この場合、Ｃ４の分だけ遅延が発生するが、得られた推奨ＡＰの情報を共有して適当な時間だけ保持すればよい。
【００５２】
また、適度な頻度でクライアントからのアクセスがある場所であれば、ＡＰから自発的に接続推奨ＡＰを更新しなくてもよい。アクセス頻度が低い場所では、消費電力の削減になる。また、繁華街などアクセス頻度が多い場所では、適当に間引きすればよい。すなわち、アクセス数回毎または数十回毎に一回だけすることも可能となる。
【００５３】
Ｂｌｕｅｔｏｏｔｈインターフェイス２０２は、無線ＬＡＮクライアント２３０にあるＢｌｕｅｔｏｏｔｈインターフェイス２３１へ接続推奨ＡＰ情報取得応答（Ｃ６）を行う。
【００５４】
無線ＬＡＮクライアント２３０のＢｌｕｅｔｏｏｔｈインターフェイス２３１は、無線ＬＡＮアクセスポイント２００にあるＢｌｕｅｔｏｏｔｈインターフェイス２０２から受信した接続推奨ＡＰ情報取得応答（Ｃ６）を受信する。Ｂｌｕｅｔｏｏｔｈインターフェイス２３１は、情報管理アプリケーション２３２へ接続推奨ＡＰ情報取得応答（Ｃ７）を行う。接続推奨ＡＰは、現在Ｂｌｕｅｔｏｏｔｈインターフェイス２３１で接続している無線ＬＡＮアクセスポイント２００自身である場合もあれば、別の無線ＬＡＮアクセスポイントである場合もある。
【００５５】
最後に、受信した接続推奨ＡＰ情報を無線ＬＡＮクライアントに設定するため、情報管理アプリケーション２３２は、無線ＬＡＮインターフェイス２３３へネットワーク接続要求（Ｃ８）する。無線ＬＡＮインターフェイス２３３は、受信情報をもとにネットワーク設定（Ｃ９）し、情報管理アプリケーション２３２へ接続結果としてネットワーク接続応答（Ｃ１０）する。接続推奨ＡＰがＢｌｕｅｔｏｏｔｈインターフェイスで接続した無線ＬＡＮアクセスポイント２００自身である場合もあるし、それ以外の無線ＬＡＮアクセスポイントである場合もある。
【００５６】
無線ＬＡＮクライアント２３０が、無線ＬＡＮアクセスポイント２００からではなく、無線ＬＡＮアクセスポイント２１０から無線ＬＡＮの接続情報を取得する場合の動作は、図５Ｂの（Ｃ１１）から（Ｃ２０）の動作となる。
【００５７】
以上のように、本実施形態では、無線ＬＡＮアクセスポイント間で接続情報の共有を行い、無線ＬＡＮアクセスポイントで選択された接続情報を取得して無線接続するため、あらかじめ電波の輻輳が発生せず、接続が混み合っていない無線ＬＡＮアクセスポイントを選択することが可能である。無線ＬＡＮクライアントは、複数の無線ＬＡＮアクセスポイントの内で、安定して通信可能な１つを選択して通信可能である。また本実施形態では無線ＬＡＮクライアントと無線ＬＡＮアクセスポイントの間の接続推奨ＡＰ情報のやり取りをＢｌｕｅｔｏｏｔｈインターフェイスで行う。そのため無線ＬＡＮ接続に輻輳等の悪影響を与えることがない。
【００５８】
（第２の実施の形態）
無線ＬＡＮアクセスポイントに接続されるクライアントの台数や輻輳状況は時間と共に変動する。そのため数分毎または数十分毎といった適宜の時間間隔で、複数の無線ＬＡＮアクセスポイントの間で接続情報をやり取りし、接続推奨アクセスポイントが変われば情報管理アプリケーション中の該当データを更新する。
【００５９】
もし別の無線ＬＡＮアクセスポイントに接続していた別の無線ＬＡＮクライアントが切断されたりした場合その別の無線ＬＡＮアクセスポイントが、無線ＬＡＮクライアントが現在接続中の無線ＬＡＮアクセスポイントより接続が混み合っていない状態になることがある。その場合その空いている別の無線ＬＡＮアクセスポイントに接続を変更（再接続）する。本実施形態はその場合を説明するものである。
【００６０】
以下図６を用いて動作を説明する。図６は、接続が混み合っていない別の無線ＬＡＮアクセスポイントに再接続する場合の動作を示すシーケンス図である。基本構成は、図２を用いて説明する。
【００６１】
まず、無線ＬＡＮアクセスポイント２００が、他無線ＬＡＮアクセスポイントの使用無線チャンネル／ＳＳＩＤ／認証方式／暗号モード／暗号鍵、推奨接続台数、接続中台数を取得し、接続が混み合っていない無線ＬＡＮアクセスポイントを検索する。このとき、（Ｄ１）から（Ｄ３）の動作は、図４Ａの（Ｂ１）から（Ｂ３）の動作と同じとなる。
【００６２】
このとき、情報管理アプリケーション２０３は、「以前に検索した接続が混み合っていない無線ＬＡＮアクセスポイント」つまり無線ＬＡＮクライアントが今接続している無線ＬＡＮアクセスポイントと「今回検索した接続が混み合っていない無線ＬＡＮアクセスポイント」つまり上述の別の無線ＬＡＮアクセスポイントを比較し異なっていた場合、無線ＬＡＮインターフェイス２０４へ接続先変更要求（Ｄ４）する。無線ＬＡＮインターフェイス２０４は、無線ＬＡＮクライアント２３０にある無線ＬＡＮインターフェイス２３３へ接続先変更要求（Ｄ５）する。
【００６３】
無線ＬＡＮアクセスポイント２３０の無線ＬＡＮインターフェイス２３３は、無線ＬＡＮアクセスポイント２００にある無線ＬＡＮインターフェイス２０４から受信した接続先変更要求（Ｄ５）を受信する。無線ＬＡＮインターフェイス２３３は、情報管理アプリケーション２３２へ接続先変更要求（Ｄ６）する。情報管理アプリケーション２３２は、接続先情報保存（Ｄ７）し、無線ＬＡＮインターフェイス２３３へ接続先変更応答（Ｄ８）を行う。無線ＬＡＮインターフェイス２３３は、無線ＬＡＮアクセスポイント２００にある無線ＬＡＮインターフェイス２０４へ接続先変更応答（Ｄ９）を行う。
【００６４】
無線ＬＡＮアクセスポイント２００の無線ＬＡＮインターフェイス２０４は、無線ＬＡＮクライアント２３０にある無線ＬＡＮインターフェイス２３３から受信した接続先変更応答（Ｄ９）を受信する。無線ＬＡＮインターフェイス２０４は、情報管理アプリケーション２０３へ接続先変更応答（Ｄ１０）する。これにより、情報管理アプリケーション２０３は、無線ＬＡＮクライアント２３０が接続情報を正しく受信したことを認識できる。
【００６５】
最後に、無線ＬＡＮクライアント６３０では、情報管理アプリケーション２３２が接続先変更応答（Ｄ８）の送信完了を確認後、接続先情報保存（Ｄ７）した情報をもとにネットワーク接続（Ｄ１１）を行う。
【００６６】
このように、本実施例では、無線ＬＡＮクライアントと無線ＬＡＮアクセスポイントが接続後に、無線ＬＡＮクライアントが、現在接続中の無線ＬＡＮアクセスポイントより接続が混み合っていない別の無線ＬＡＮアクセスポイントに再接続できる、という効果が得られる。
【００６７】
以上説明したように、第１および第２の実施形態によれば、電波の輻輳状態や無線ＬＡＮアクセスポイントに接続済み台数などを、情報管理アプリケーションによって確認することができるので、安定した無線接続で、通信速度の速い無線ＬＡＮアクセスポイントを特定して接続できる。
【００６８】
尚、本願発明は、上述の実施の形態に限定されるものではなく、本願発明の要旨を逸脱しない範囲で種々変更、変形して実施することが出来る。
【産業上の利用可能性】
【００６９】
本発明は、無線ＬＡＮ通信システムにおいて、無線ＬＡＮクライアントの自動接続可能な通信システムに利用可能である。
【符号の説明】
【００７０】
１００、１１０、２００、２１０    無線ＬＡＮアクセスポイント
１０１、１１１、２０１、２１１    有線ＬＡＮインターフェイス
１０２、１１２、１３１    近距離通信インターフェイス
１０３、１１３、１３２、２０３、２１３、２３２    情報管理アプリケーション
１０４、１１４、１３３、２０４、２１４、２３３    無線ＬＡＮインターフェイス
１２０、１２１、１２２、１３０、２２０、２２１、２２２、２３０    無線ＬＡＮクライアント
２０２、２１２、２３１    Ｂｌｕｅｔｏｏｔｈインターフェイス
【図１】
2015226178.tif 000003
【図２】
2015226178.tif 000004
【図３Ａ】
2015226178.tif 000005
【図３Ｂ】
2015226178.tif 000006
【図４Ａ】
2015226178.tif 000007
【図４Ｂ】
2015226178.tif 000008
【図５Ａ】
2015226178.tif 000009
【図５Ｂ】
2015226178.tif 000010
【図６】
2015226178.tif 000011